(57)【特許請求の範囲】
【請求項１】
移動体通信ネットワークにおいて端末から送信される制御信号に基づいて呼制御処理を行う呼制御装置であって、
前記制御信号を複数の呼制御装置のいずれかに振り分けて転送する信号振分装置から制御信号を受信し、あらかじめ加入者毎に設定されている他の呼制御装置内のセッション制御手段または自装置内のセッション制御手段に該制御信号を転送する収容先選択手段と、
前記収容先選択手段または他の呼制御装置に備えられた収容先選択手段によって転送された制御信号を受信し、該制御信号に基づいて端末のセッションを制御するセッション制御手段と、
を一つの装置内に縮退して備え、
前記収容先選択手段は、前記端末から制御信号を送信した加入者に対して収容先の呼制御装置が設定されていない場合は、自装置内のセッション制御手段に該信号を転送することを特徴とする呼制御装置。
【請求項２】
前記信号振分装置によって振り分けられた制御信号を受信し、同じ呼制御装置に備えられた収容先選択手段に該制御信号を転送する端末信号転送手段を一つの装置内にさらに縮退して備え、
前記収容先選択手段は、前記端末信号転送手段によって転送された制御信号を受信し、あらかじめ加入者毎に設定されている他の呼制御装置内のセッション制御手段または自装置内のセッション制御手段に該制御信号を転送することを特徴とする請求項１に記載の呼制御装置。
【請求項３】
移動体通信ネットワークにおいて端末から送信される制御信号に基づいて呼制御処理を行う呼制御装置であって、
前記制御信号を複数の呼制御装置のいずれかに振り分けて転送する信号振分装置から制御信号を受信し、あらかじめ加入者毎に設定されている他の呼制御装置内のセッション制御手段または自装置内のセッション制御手段に該制御信号を転送する収容先選択手段と、
前記収容先選択手段または他の呼制御装置に備えられた収容先選択手段によって転送された制御信号を受信し、該制御信号に基づいて端末のセッションを制御するセッション制御手段と、
を一つの装置内に縮退して備え、
前記セッション制御手段は、位置情報を登録するために前記端末から送信される登録要求信号に対して登録が成功したことを応答する際に、該端末が前記信号振分装置を介さずに直接アクセスすることを可能とするための装置アドレス情報を該端末に送信することを特徴とする呼制御装置。
【請求項４】
移動体通信ネットワークにおいて、端末から送信される制御信号に基づいて呼制御処理を行う呼制御サーバ装置による呼制御方法であって、
信号振分装置が、前記制御信号を複数の呼制御サーバ装置のいずれかに振り分けて転送する信号振分工程と、
前記呼制御サーバ装置が、前記信号振分工程によって転送された制御信号を受信し、あらかじめ加入者毎に設定されている他の呼制御サーバ装置内のセッション制御手段または自装置内のセッション制御手段に該制御信号を転送する収容先選択工程と、
前記呼制御サーバ装置が、前記収容先選択工程または他の呼制御サーバ装置による収容先選択工程によって転送された制御信号を受信し、該制御信号に基づいて端末のセッションを制御するセッション制御工程と、
を含み、
前記収容先選択工程において、前記呼制御サーバ装置は、前記端末から制御信号を送信した加入者に対して収容先の呼制御サーバ装置が設定されていない場合は、自装置内のセッション制御手段に該信号を転送することを特徴とする呼制御方法。
【発明の詳細な説明】
【技術分野】
【０００１】
この発明は、移動体通信ネットワークにおいて端末から送信される信号に基づいて呼制御処理を行う呼制御装置および呼制御方法に関し、特に、ネットワーク上に発生する信号集中箇所の負荷を分散することができる呼制御装置および呼制御方法に関するものである。
【背景技術】
【０００２】
近年、第３世代移動体通信システムの標準化団体である３ＧＰＰ（3rd Generation Partnership Project）において、ＩＭＳ（IP Multimedia Subsystem）の標準化が進められている。ＩＭＳとは、これまで固定網や移動体通信、放送などで行われていたサービスをＩＰ（Internet Protocol）化し、融合したマルチメディアサービスを実現するための通信仕様である（非特許文献１参照。）。
【０００３】
図６は、ＩＭＳで規定される移動体通信ネットワークの構成を示すブロック図である。同図において、端末１０1〜１０nは、携帯電話等の移動端末であり、ネットワークサービスの加入者（以下、加入者）は、端末１０1〜１０nを利用し、通信事業者がアプリケーションサーバ２０1〜２０nを用いて提供する通話サービス等の各種マルチメディアサービスを利用することができる。加入者がかかるサービスを利用する際には、Ｐ−ＣＳＣＦ（Proxy Call Session Control Function）４０1〜４０n、Ｉ−ＣＳＣＦ（Interrogating Call Session Control Function）５０、Ｓ−ＣＳＣＦ（Serving Call Session Control Function）６０1〜６０nの３つのＳＩＰ（Session Initiation Protocol）サーバを介してセッションの確立が行われる。また、ＨＳＳ（Home Subscriber Server）３０は、加入者情報や、認証情報、課金情報等を管理するサーバである。このＨＳＳ３０で管理される加入者情報には、当該加入者が収容されるＳ−ＣＳＣＦの情報が設定されている。
【０００４】
かかる端末１０1〜１０nおよびＰ−ＣＳＣＦ４０1〜４０n、Ｉ−ＣＳＣＦ５０、Ｓ−ＣＳＣＦ６０1〜６０nの間で行われる通信を制御するプロトコルには、ＳＩＰが用いられる。ＳＩＰは、インターネット電話等で用いられている通信制御プロトコルの１つであり、端末間でセッションの生成、変更、切断を行うプロトコルである。また、Ｉ−ＣＳＣＦ５０およびＳ−ＣＳＣＦ６０1〜６０nとＨＳＳとの間で行われる通信を制御するプロトコルには、ＤＩＡＭＥＴＥＲが用いられる。ＤＩＡＭＥＴＥＲは、リモート・アクセスにおけるユーザ認証に用いられる認証プロトコルの１つである。
【０００５】
Ｐ−ＣＳＣＦ４０1〜４０nは、端末１０1〜１０nが最初にアクセスするＳＩＰサーバであり、端末１０1〜１０nから送信されるＳＩＰメッセージを、Ｉ−ＣＳＣＦ５０や、Ｓ−ＣＳＣＦ６０1〜６０nに転送する。このＰ−ＣＳＣＦ４０1〜４０nは、端末の現在位置を登録するためのＳＩＰメッセージ（以下、登録要求メッセージ）を端末１０1〜１０nから受信した場合は、当該登録要求メッセージをＩ−ＣＳＣＦ５０に転送する。
【０００６】
Ｉ−ＣＳＣＦ５０は、加入者の端末から送信される登録要求の受け付けや、ホームネットワーク（通信事業者が、事業者ごと、またはサービスごとに保有しているネットワーク）や他のネットワークとの接続を行うためのＳＩＰサーバであり、ホームネットワークごとに１台ずつ設置される。このＩ−ＣＳＣＦ５０は、前述した登録要求メッセージをＰ−ＣＳＣＦ４０1〜４０nから受信した場合は、ＨＳＳ３０の加入者情報に含まれる、加入者ごとに定義された収容Ｓ−ＣＳＣＦ情報に基づいてＳ−ＣＳＣＦを選択し、選択したＳ−ＣＳＣＦに登録要求メッセージを転送する。ここで、Ｉ−ＣＳＣＦ５０は、ＨＳＳ３０の当該加入者情報に、収容先となるＳ−ＣＳＣＦの情報が設定されていなかった場合は、所定の方法に基づいて独自にＳ−ＣＳＣＦの選択を行う。
【０００７】
Ｓ−ＣＳＣＦ６０1〜６０nは、ユーザ認証や、セッション管理等を行うためのＳＩＰサーバであり、ＨＳＳ３０の加入者情報に基づいて、アプリケーションサーバ２０1〜２０nと連携することによって各種のマルチメディアサービスを提供する。このＳ−ＣＳＣＦ５０は、前述した登録要求メッセージをＩ−ＣＳＣＦ５０から受信した場合は、当該登録要求メッセージを送信した加入者に対するユーザ認証を行い、その後にセッションの生成を行う。
【０００８】
すなわち、端末１０1〜１０nが登録要求メッセージを送信すると、Ｐ−ＣＳＣＦ４０1〜４０nが当該メッセージをＩ−ＣＳＣＦ５０に転送し、さらに、Ｉ−ＣＳＣＦ５０がＨＳＳ３０の加入者情報に基づいて当該メッセージをＳ−ＣＳＣＦ６０1〜６０nに転送する。そして、Ｓ−ＣＳＣＦ６０1〜６０nにおいて、登録要求メッセージを基に加入者のユーザ認証が行われるとともに、セッションの確立が行われる。
【０００９】
【非特許文献１】「３ＧＰＰ  ＴＳ  ２３．２２８Ｖ７．２．０」、［平成１７年１２月２６日検索］、インターネット＜URL: http://www.3gpp.org/ftp/Specs/html-info/23228.htm＞
【発明の開示】
【発明が解決しようとする課題】
【００１０】
しかしながら、上述したＩＭＳネットワークにおいては、ホームネットワークに１台だけ設置されるＩ−ＣＳＣＦに端末から送信される信号が集中するため、Ｉ−ＣＳＣＦの負荷が上昇し、ネットワーク上にボトルネックが発生する恐れがあるという問題がある。
【００１１】
この発明は、上述した従来技術による問題点を解消するためになされたものであり、ネットワーク上に発生する信号集中箇所の負荷を分散することができる呼制御装置および呼制御方法を提供することを目的とする。
【課題を解決するための手段】
【００１２】
上述した課題を解決し、目的を達成するため、本発明に係る呼制御装置は、移動体通信ネットワークにおいて端末から送信される制御信号に基づいて呼制御処理を行う呼制御装置であって、前記制御信号を複数の呼制御装置のいずれかに振り分けて転送する信号振分装置から制御信号を受信し、あらかじめ加入者毎に設定されている収容先の呼制御装置に該制御信号を転送する収容先選択手段と、前記収容先選択手段または他の呼制御装置に備えられた収容先選択手段によって転送された制御信号を受信し、該制御信号に基づいて端末のセッションを制御するセッション制御手段と、を一つの装置内に縮退して備えたことを特徴とする。
【００１３】
この発明によれば、端末から送信される制御信号を複数の呼制御装置のいずれかに振り分けて転送する信号振分装置から制御信号を受信し、あらかじめ加入者毎に設定されている収容先の呼制御装置に制御信号を転送する処理と、同じ呼制御装置または他の呼制御装置から転送された制御信号を受信し、受信した制御信号に基づいて端末のセッションを制御する処理とを、一つの呼制御装置内で縮退して行うよう構成したので、端末から送信される制御信号を信号振分装置により複数の縮退呼制御装置に分散して処理することが可能となる。
【００１４】
また、本発明に係る呼制御装置は、上記発明において、前記信号振分装置から制御信号を受信し、同じ呼制御装置に備えられた収容先選択手段に該制御信号を転送する端末信号転送手段を一つの装置内にさらに縮退して備え、前記収容先選択手段は、前記端末信号転送手段によって転送された制御信号を受信し、あらかじめ加入者毎に設定されている収容先の呼制御装置に該制御信号を転送することを特徴とする。
【００１５】
この発明によれば、信号振分装置によって振り分けられた制御信号を受信し、同じ呼制御装置内に転送する処理を、一つの装置内でさらに縮退して行い、これによって転送された制御信号を受信し、あらかじめ加入者毎に設定されている収容先の呼制御装置に制御信号を転送するよう構成したので、端末から信号振分装置に直接送信される制御信号を複数の縮退呼制御装置に分散して処理することが可能となる。
【００１６】
また、本発明に係る呼制御装置は、上記発明において、前記収容先選択手段は、前記端末から制御信号を送信した加入者に対して収容先の呼制御装置が設定されていない場合は、同じ呼制御装置に備えられたセッション制御手段に該信号を転送することを特徴とする。
【００１７】
この発明によれば、端末から制御信号を送信した加入者に対して収容先の呼制御装置が設定されていない場合は、同じ呼制御装置に該信号を転送するよう構成したので、あらかじめ収容先の呼制御装置を設定しておかなくても、自動的に効率良く負荷分散して収容先を振り分けることが可能となる。
【００１８】
また、本発明に係る呼制御装置は、上記発明において、前記セッション制御手段は、位置情報を登録するために前記端末から送信される登録要求信号に対して登録が成功したことを応答する際に、該端末が前記信号振分装置を介さずに直接アクセスすることを可能とするための装置アドレス情報を端末に送信することを特徴とする。
【００１９】
この発明によれば、位置情報を登録するために端末から送信される登録要求信号に対して登録が成功したことを応答する際に、端末が信号振分装置を介さずに直接アクセスすることを可能とするための装置アドレス情報を端末に送信するよう構成したので、以降、端末は、信号振分装置を経由せずに縮退呼制御装置に直接メッセージを送信することが可能となるため、信号振分装置に流入する信号量を減らすことができる。
【００２０】
また、本発明に係る呼制御方法は、移動体通信ネットワークにおいて、端末から送信される制御信号に基づいて呼制御処理を行う呼制御サーバ装置による呼制御方法であって、信号振分装置が、前記制御信号を複数の呼制御サーバ装置のいずれかに振り分けて転送する信号振分工程と、前記呼制御サーバ装置が、前記信号振分工程によって転送された制御信号を受信し、あらかじめ加入者毎に設定されている収容先の呼制御サーバ装置に該制御信号を転送する収容先選択工程と、前記呼制御サーバ装置が、前記収容先選択工程または他の呼制御サーバ装置による収容先選択工程によって転送された制御信号を受信し、該制御信号に基づいて端末のセッションを制御するセッション制御工程と、を含んだことを特徴とする。
【００２１】
この発明によれば、端末から送信される制御信号を複数の呼制御装置のいずれかに振り分けて転送する信号振分装置から制御信号を受信し、あらかじめ加入者毎に設定されている収容先の呼制御装置に制御信号を転送する処理と、同じ呼制御装置または他の呼制御装置から転送された制御信号を受信し、受信した制御信号に基づいて端末のセッションを制御する処理とを、一つの呼制御装置内で縮退して行うよう構成したので、端末から送信される制御信号を信号振分装置により複数の縮退呼制御装置に分散して処理することが可能となる。
【発明の効果】
【００２２】
本発明によれば、端末から送信される制御信号を信号振分装置により複数の縮退呼制御装置に分散して処理することが可能となるので、ネットワーク上に発生する信号集中箇所の負荷を分散することができるという効果を奏する。
【００２３】
また、本発明によれば、端末から信号振分装置に直接送信される制御信号を複数の縮退呼制御装置に分散して処理することが可能となるので、ネットワーク上に発生する信号集中箇所の負荷を分散することができるという効果を奏する。
【００２４】
また、本発明によれば、あらかじめ収容先の呼制御装置を設定しておかなくても、自動的に効率良く負荷分散して収容先を振り分けることが可能となるので、ネットワーク上に発生する信号集中箇所の負荷を分散することができるという効果を奏する。
【００２５】
また、本発明によれば、信号振分装置に流入する信号量を減らすことができるので、ネットワーク上に発生する信号集中箇所の負荷を分散することができるという効果を奏する。
【発明を実施するための最良の形態】
【００２６】
以下に添付図面を参照して、この発明に係る呼制御装置および呼制御方法の好適な実施例を詳細に説明する。
【実施例１】
【００２７】
まず、本実施例１に係る移動体通信ネットワークの構成について説明する。図１は、本実施例１に係る移動体通信ネットワークの構成を示すブロック図である。同図に示すように、この移動体通信ネットワークは、ＳＩＰサーバであるＰ−ＣＳＣＦ４０1〜４０nと、信号振分装置７０と、縮退呼制御装置１００1〜１００nと、加入者情報を管理するサーバであるＨＳＳ３０とから構成されている。
【００２８】
同図において、端末１０1〜１０nは携帯電話等の移動端末であり、ネットワークサービスの加入者（以下、加入者）は、端末１０1〜１０nを利用し、Ｐ−ＣＳＣＦ４０1〜４０n、信号振分装置７０および縮退呼制御装置１００1〜１００nを介してセッションを確立することによって、通信事業者がアプリケーションサーバ２０1〜２０nを用いて提供する通話サービス等の各種マルチメディアサービスを利用することができる。
【００２９】
なお、端末１０1〜１０n、Ｐ−ＣＳＣＦ４０1〜４０n、信号振分装置７０および縮退呼制御装置１００1〜１００nの間で行われる通信には、通信制御プロトコルとして、例えば、ＳＩＰが用いられる。そして、加入者は、サービスを利用する際には、所有している端末から、あらかじめ端末ごとに設定されているメッセージの送信先、すなわち本実施例１ではＰ−ＣＳＣＦ４０1〜４０nのうちいずれか１つのＰ−ＣＳＣＦに対して、現在位置を登録するためのＳＩＰメッセージ（以下、登録要求メッセージ）を送信し、Ｐ−ＣＳＣＦ４０1〜４０n、信号振分装置７０および縮退呼制御装置１００1〜１００nを介してセッションの確立を行う。
【００３０】
ＨＳＳ３０は、加入者情報や、認証情報、課金情報等を管理するサーバである。このＨＳＳ３０で管理される加入者情報には、収容される縮退呼制御装置を加入者ごとに定義した収容先情報（例えば、ＩＰアドレス等）が設定されており、後述する縮退呼制御装置１００1〜１００nは、ＨＳＳ３０の加入者情報や認証情報を参照することによって、縮退呼制御装置の選択や、加入者のユーザ認証を行う。なお、縮退呼制御装置１００1〜１００nとＨＳＳ３０の間で行われる通信には、通信制御プロトコルとして、例えば、ＤＩＡＭＥＴＥＲが用いられる。
【００３１】
Ｐ−ＣＳＣＦ４０1〜４０nは、端末１０1〜１０nが最初にアクセスするＳＩＰサーバであり、端末１０1〜１０nから送信されるＳＩＰメッセージをネットワーク内の各所に転送する。このＰ−ＣＳＣＦ４０1〜４０nは、端末１０1〜１０nから登録要求メッセージを受信した場合は、当該登録要求メッセージを信号振分装置７０に転送する。
【００３２】
信号振分装置７０は、Ｐ−ＣＳＣＦ４０1〜４０nから受信したＳＩＰメッセージを、縮退呼制御装置１００1〜１００nに振り分ける装置である。具体的には、この信号振分装置７０は、Ｐ−ＣＳＣＦ４０1〜４０nから登録要求メッセージを受信すると、所定の方式（例えば、ラウンドロビン方式やセッション数監視方式等）で縮退呼制御装置１００1〜１００nからいずれか１つの縮退呼制御装置を選択し、選択した縮退呼制御装置に当該登録要求メッセージを転送する。
【００３３】
この際、信号振分装置７０は、登録要求メッセージのヘッダに含まれるＣａｌｌ−ＩＤと縮退呼制御装置１００1〜１００nのＩＰアドレスとを対応付け、Ｃａｌｌ−ＩＤごとに信号振分情報として記憶する。そして、以降、同じ端末からＳＩＰメッセージを受信した場合は、記憶している信号振分情報に基づいて、対応する縮退呼制御装置に当該ＳＩＰメッセージを転送する。これにより、同一のＣａｌｌ−ＩＤのＳＩＰメッセージ、すなわち、同一のセッションおよび同一のトランザクションのＳＩＰメッセージは、同一の縮退呼制御装置に転送されることになる。
【００３４】
また、信号振分装置７０は、登録要求メッセージを転送する際に、当該登録要求メッセージに付加されている送信元ＭＡＣアドレスおよび送信先ＭＡＣアドレス（Ｅｔｈｅｒヘッダ部に含まれる）と、送信元ＩＰアドレスおよび送信先ＩＰアドレス（ＩＰヘッダに含まれる）に設定されているアドレス値を挿げ替える処理を行う。具体的に説明すると、登録要求メッセージに付加されている送信元ＭＡＣアドレス、送信先ＭＡＣアドレス、送信元ＩＰアドレス、送信先ＩＰアドレスには、それぞれ、登録要求メッセージを送信した端末のＭＡＣアドレス、信号振分装置のＭＡＣアドレス、登録要求メッセージを送信した端末のＩＰアドレス、縮退呼制御装置代表アドレスが設定されている。ここで、縮退呼制御装置代表アドレスとは、信号振分装置７０にあらかじめ設定された仮想のＩＰアドレスであり、登録要求メッセージを転送する際に指定する送信先として、Ｐ−ＣＳＣＦ４０1〜４０nが統一して認識しているＩＰアドレスである。そして、信号振分装置７０は、これらのアドレスを、それぞれ、信号振分装置のＭＡＣアドレス、振分処理で選択した縮退呼制御装置のＭＡＣアドレス、登録要求メッセージを送信した端末のＩＰアドレス、振分処理で選択した縮退呼制御装置のＩＰアドレスに挿げ替えた上で、選択した縮退呼制御装置に登録要求メッセージを転送する。
【００３５】
このように、信号振分装置７０が、メッセージの送信先のＩＰアドレスを、縮退呼制御装置代表アドレスから、選択した縮退呼制御装置のＩＰアドレスに自動的に置き換えることによって、縮退呼制御装置を増設する場合でもＰ−ＣＳＣＦ４０1〜４０nの転送先の設定を変更する必要が無く、労力を節約して、ネットワーク上に発生する信号集中箇所の負荷を分散することができる。
【００３６】
縮退呼制御装置１００1〜１００nは、通信事業者がそれぞれ保有するホームネットワークや他のネットワークとの接続やユーザ認証、セッション管理等を行う装置であり、それぞれ、Ｉ−ＣＳＣＦ１５０1〜１５０nと、Ｓ−ＣＳＣＦ１６０1〜１６０nとを有する。
【００３７】
Ｉ−ＣＳＣＦ１５０1〜１５０nは、加入者の端末から送信される登録要求の受け付けや、ホームネットワーク（通信事業者が、事業者ごと、またはサービスごとに保有しているネットワーク）や他のネットワークとの接続を行う処理部である。このＩ−ＣＳＣＦ１５０1〜１５０nは、登録要求メッセージを受信すると、ＨＳＳ３０の加入者情報に含まれる収容Ｓ−ＣＳＣＦ情報に基づいてＳ−ＣＳＣＦを選択し、選択したＳ−ＣＳＣＦに当該登録要求メッセージを転送する。ここで、Ｉ−ＣＳＣＦ１５０1〜１５０nは、登録を要求している加入者の情報に収容先情報が設定されていなかった場合は、同じ縮退呼制御装置内にあるＳ−ＣＳＣＦを選択し、当該登録要求メッセージを転送する。例えば、縮退呼制御装置１００2のＩ−ＣＳＣＦ１５０2は、Ｓ−ＣＳＣＦ１６０2を選択し、登録要求メッセージを内部転送する。
【００３８】
このように、Ｉ−ＣＳＣＦ１５０1〜１５０nが、端末１０1〜１０nから信号を送信した加入者に対してＨＳＳ３０に収容先のＳ−ＣＳＣＦが設定されていない場合は、同じ縮退呼制御装置に備えられたＳ−ＣＳＣＦに当該信号を内部転送することによって、あらかじめＨＳＳ３０に収容先情報を設定しておかなくても、自動的に効率良く負荷分散して収容先を振り分けることが可能となり、ネットワーク上に発生する信号集中箇所の負荷を分散することができる。
【００３９】
Ｓ−ＣＳＣＦ１６０1〜１６０nは、ユーザ認証やセッション管理等を行う処理部であり、ＨＳＳ３０の加入者情報に基づいて、アプリケーションサーバ２０1〜２０nと連携することによって各種のマルチメディアサービスを提供する。このＳ−ＣＳＣＦ１６０1〜１６０nは、Ｉ−ＣＳＣＦ１５０1〜１５０nから登録要求メッセージを受信すると、ＨＳＳ３０の加入者情報に基づいて、当該登録要求メッセージを送信した加入者のユーザ認証を行う。
【００４０】
ここで、ＨＳＳ３０にある当該加入者の加入者情報に収容先情報が設定されていなかった場合、すなわち、前述したＩ−ＣＳＣＦ１５０1〜１５０nによって、同じ縮退呼制御装置にあるＳ−ＣＳＣＦが選択されていた場合は、Ｓ−ＣＳＣＦ１６０1〜１６０nは、自身が備えられている縮退呼制御装置を示す情報（例えば、ＩＰアドレス等）を当該加入者の収容先情報としてＨＳＳ３０に仮登録するとともに、当該登録要求メッセージを送信した端末に対して、いったん、ユーザ認証が必要であることを示すアクセス制限メッセージ（「４０１  Ｕｎａｕｔｈｏｒｉｚｅｄ」メッセージ）を応答する。
【００４１】
そして、Ｓ−ＣＳＣＦ１６０1〜１６０nは、アクセス制限メッセージに応じて端末から再送信される登録要求メッセージを受信したタイミングで、前述の収容先情報をＨＳＳ３０に正式登録するとともに、登録要求メッセージを送信した端末に対して、要求が成功したことを示す要求成功メッセージ（「２００  ＯＫ」メッセージ）を応答する。この時、Ｓ−ＣＳＣＦ１６０1〜１６０nは、自身が備えられている縮退呼制御装置１００2のＩＰアドレスを当該要求成功メッセージに付与して送信する。例えば、Ｓ−ＣＳＣＦ１６０2は、自身が備えられた縮退呼制御装置１００2のＩＰアドレスを、要求成功メッセージのＳｅｒｖｉｃｅ−Ｒｏｕｔｅヘッダに設定して送信する。
【００４２】
このように、Ｓ−ＣＳＣＦ１６０1〜１６０nが、位置情報を登録するために端末１０1〜１０nから送信される登録要求メッセージに対して登録が成功したことを応答する際に、信号振分装置７０を介さずに端末１０1〜１０nが直接アクセスすることを可能とするための縮退呼制御装置のＩＰアドレスを端末１０1〜１０nに送信することによって、以降、端末１０1〜１０nは、信号振分装置７０を経由せずに縮退呼制御装置１００2のＳ−ＣＳＣＦ１６０1〜１６０nに直接メッセージを送信することが可能となるため、信号振分装置７０に流入する信号量が減少し、ネットワーク上に発生する信号集中箇所の負荷を分散することができる。
【００４３】
次に、本実施例１に係る移動体通信ネットワークにおける端末登録手順について説明する。図２は、本実施例１に係る移動体通信ネットワークにおける端末登録手順を示すシーケンス図である。同図に示すように、ネットワークサービスの加入者によって、例えば端末１０1からＲＥＧＩＳＴＥＲ要求（端末登録要求）メッセージが送信されると（ステップＳ１０１）、メッセージの送信先としてあらかじめ端末１０1に設定されているＰ−ＣＳＣＦ、例えば、端末１０1が、当該ＲＥＧＩＳＴＥＲ要求メッセージを受信し、当該メッセージを信号振分装置７０に転送する（ステップＳ１０２）。
【００４４】
信号振分装置７０は、受信したＲＥＧＩＳＴＥＲ要求メッセージに含まれるＣＡＬＬ−ＩＤの記憶と、当該ＲＥＧＩＳＴＥＲ要求メッセージに付加されているアドレス情報の挿げ替えを行うとともに、所定の方式（例えば、ラウンドロビン方式やセッション数監視方式等）で縮退呼制御装置を選択し、選択した縮退呼制御装置、例えば縮退呼制御装置１００2に当該ＲＥＧＩＳＴＥＲ要求メッセージを転送する（ステップＳ１０３）。
【００４５】
縮退呼制御装置１００2は、ＲＥＧＩＳＴＥＲ要求メッセージを受信すると、Ｉ−ＣＳＣＦ１５０2が、ＨＳＳ３０から発加入者の加入者情報を取得する（ステップＳ１０４、Ｓ１０５）。ここで、当該発加入者の加入者情報に収容先情報が設定されていなかった場合、Ｉ−ＣＳＣＦ１５０2は、同じ縮退呼制御装置１００2内のＳ−ＣＳＣＦ１６０2に当該ＲＥＧＩＳＴＥＲ要求メッセージを内部転送する（ステップＳ１０６）。
【００４６】
Ｓ−ＣＳＣＦ１６０2は、発加入者の加入者情報に収容先情報が設定されていなかった場合は、ＨＳＳ３０にある当該発加入者の加入者情報に、自身を示す情報（例えば、ＩＰアドレス等）を収容先情報として仮登録する（ステップＳ１０７、Ｓ１０８）。ここで、Ｓ−ＣＳＣＦ１６０2は、Ｐ−ＣＳＣＦ４０2を経由し、端末１０1に対して、ユーザ認証が必要であることを示すアクセス制限メッセージ（「４０１  Ｕｎａｕｔｈｏｒｉｚｅｄ」メッセージ）を応答する（ステップＳ１０９、Ｓ１１０）。
【００４７】
端末１０1は、アクセス制限メッセージを受信すると、ＲＥＧＩＳＴＥＲ要求メッセージを再送信して、再度、登録を試みる（ステップＳ１１１）。ここで再送信されたＲＥＧＩＳＴＥＲ要求メッセージは、初回の送信時と同様に、Ｐ−ＣＳＣＦ４０2、信号振分装置７０、縮退呼制御装置１００2のＩ−ＣＳＣＦ１５０2を経由して、Ｓ−ＣＳＣＦ１６０2に到達する（ステップＳ１１２、Ｓ１１３、Ｓ１１４）。
【００４８】
Ｓ−ＣＳＣＦ１６０2は、ＲＥＧＩＳＴＥＲ要求メッセージに基づいて発加入者のユーザ認証を行うとともに、ＨＳＳ３０にある当該発加入者の加入者情報に、自身が備えられている縮退呼制御装置を示す情報（例えば、ＩＰアドレス等）を収容先情報として正式登録する（ステップＳ１１５、Ｓ１１６）。さらに、Ｓ−ＣＳＣＦ１６０2は、Ｐ−ＣＳＣＦ４０2を経由し、端末１０1に対して、要求が成功したことを示す要求成功メッセージ（「２００  ＯＫ」メッセージ）を応答する（ステップＳ１１７、Ｓ１１８）。この時、Ｓ−ＣＳＣＦ１６０2は、自身が備えられている縮退呼制御装置のＩＰアドレスを当該要求成功メッセージに付与して送信する。例えば、Ｓ−ＣＳＣＦ１６０2は、自身が備えられている縮退呼制御装置のＩＰアドレス、要求成功メッセージのＳｅｒｖｉｃｅ−Ｒｏｕｔｅヘッダに設定して送信する（ステップＳ１１７）。
【００４９】
そして、要求成功メッセージを受信すると、端末１０1は、当該要求成功メッセージに付与されているＳ−ＣＳＣＦ１６０2のＩＰアドレスを用いて、通信相手の呼び出しを要求するためのＩＮＶＩＴＥ要求メッセージをＳ−ＣＳＣＦ１６０2に対して直接送信する（ステップＳ１１９）。そして、端末１０1は、以降、Ｓ−ＣＳＣＦ１６０2に対して行う要求については、Ｐ−ＣＳＣＦ４０2、信号振分装置７０および縮退呼制御装置１００2のＩ−ＣＳＣＦ１５０2を経由せずにＳ−ＣＳＣＦ１６０2に対して要求メッセージを直接送信する。
【００５０】
このように、端末１０1〜１０nから送信される信号をＰ−ＣＳＣＦ４０1〜４０nに信号振分装置７０に転送し、信号振分装置７０が当該信号をＩ−ＣＳＣＦ１５０1〜１５０nに振り分け、Ｉ−ＣＳＣＦ１５０1〜１５０nが、当該信号をＳ−ＣＳＣＦ１６０1〜１６０nに内部転送することによって、Ｉ−ＣＳＣＦに集中する信号を分散して呼制御処理を行うことができる。
【００５１】
上述してきたように、本実施例１では、Ｉ−ＣＳＣＦとＳ−ＣＳＣＦとを一つの呼制御装置内に縮退して備えるとともに、端末１０1〜１０nから送信されるメッセージを複数の縮退呼制御装置１００1〜１００nのいずれかに振り分けて転送する信号振分装置７０から受信したメッセージを、Ｉ−ＣＳＣＦ１５０1〜１５０nが、あらかじめ加入者毎に設定されている収容先のＳ−ＣＳＣＦ、若しくは、加入者に対して収容先のＳ−ＣＳＣＦが設定されていない場合には所定の方式で選択したＳ−ＣＳＣＦへ転送し、Ｉ−ＣＳＣＦ１５０1〜１５０nが、同じ呼制御装置または他の呼制御装置から転送されたメッセージを受信し、受信したメッセージに基づいて端末１０1〜１０nのセッションを制御することとしたので、端末１０1〜１０nから送信されるメッセージを複数の縮退呼制御装置１００1〜１００nに備えられたＩ−ＣＳＣＦ１５０1〜１５０nに分散して処理することが可能となり、ネットワーク上に発生する信号集中箇所の負荷を分散することができる。
【実施例２】
【００５２】
ところで、上記実施例１では、Ｉ−ＣＳＣＦとＳ−ＣＳＣＦとを１つの縮退呼制御装置に縮退するとともに、Ｐ−ＣＳＣＦが転送する信号を、信号振分装置を用いて複数の縮退呼制御装置に振り分けることによって、Ｉ−ＣＳＣＦに集中していた負荷を分散する例を説明した。しかしながら、縮退呼制御装置に、さらにＰ−ＣＳＣＦを縮退し、端末からＰ−ＣＳＣＦに送信される信号を、信号振分装置を用いて複数の縮退呼制御装置に振り分けることによって、さらにＰ−ＣＳＣＦの負荷分散を行うこともできる。そこで、本実施例２では、Ｐ−ＣＳＣＦ、Ｉ−ＣＳＣＦおよびＳ−ＣＳＣＦを１つの縮退呼制御装置に縮退する場合について説明する。
【００５３】
まず、本実施例２に係る移動体通信ネットワークの構成について説明する。図３は、本実施例２に係る移動体通信ネットワークの構成を示すブロック図である。なお、ここでは説明の便宜上、図１に示した各部と同様の役割を果たす機能部については同一符号を付すこととしてその詳細な説明を省略する。同図に示すように、この移動体通信ネットワークは、信号振分装置７０と、縮退呼制御装置２００1〜２００nと、加入者情報を管理するサーバであるＨＳＳ３０とから構成されている。
【００５４】
図３において、端末１０1〜１０nは携帯電話等の移動端末であり、ネットワークサービスの加入者（以下、加入者）は、端末１０1〜１０nを利用し、信号振分装置７０および縮退呼制御装置２００1〜２００nを介してセッションを確立することによって、通信事業者がアプリケーションサーバ２０1〜２０nを用いて提供する通話サービス等の各種マルチメディアサービスを利用することができる。
【００５５】
なお、端末１０1〜１０n、信号振分装置７０および縮退呼制御装置２００1〜２００nの間で行われる通信には、通信制御プロトコルとして、例えば、ＳＩＰが用いられる。そして、加入者は、サービスを利用する際には、所有している端末から、あらかじめ端末ごとに設定されているメッセージの送信先、すなわち本実施例２では信号振分装置７０に対して、現在位置を登録するためのＳＩＰメッセージ（以下、登録要求メッセージ）を送信し、信号振分装置７０および縮退呼制御装置２００1〜２００nを介してセッションの確立を行う。
【００５６】
ＨＳＳ３０は、加入者情報や、認証情報、課金情報等を管理するサーバである。このＨＳＳ３０で管理される加入者情報には、収容される縮退呼制御装置を加入者ごとに定義した収容先情報（例えば、ＩＰアドレス等）が含まれており、後述する縮退呼制御装置２００1〜２００nは、ＨＳＳ３０の加入者情報や認証情報を参照することによって、縮退呼制御装置の選択や、加入者のユーザ認証を行う。なお、縮退呼制御装置２００1〜２００nとＨＳＳ３０の間で行われる通信には、通信制御プロトコルとして、例えば、ＤＩＡＭＥＴＥＲが用いられる。
【００５７】
信号振分装置７０は、端末１０1〜１０nから受信したＳＩＰメッセージを、縮退呼制御装置２００1〜２００nに振り分ける装置である。具体的には、この信号振分装置７０は、端末１０1〜１０nから登録要求メッセージを受信すると、所定の方式（例えば、ラウンドロビン方式やセッション数監視方式等）で縮退呼制御装置２００1〜２００nからいずれか１つの縮退呼制御装置を選択し、選択した縮退呼制御装置に当該登録要求メッセージを転送する。
【００５８】
この際、信号振分装置７０は、登録要求メッセージのヘッダに含まれるＣａｌｌ−ＩＤと縮退呼制御装置２００1〜２００nのＩＰアドレスとを対応付け、Ｃａｌｌ−ＩＤごとに信号振分情報として記憶する。そして、以降、同じ端末からＳＩＰメッセージを受信した場合は、記憶している信号振分情報に基づいて、対応する縮退呼制御装置に当該ＳＩＰメッセージを転送する。これにより、同一のＣａｌｌ−ＩＤのＳＩＰメッセージ、すなわち、同一のセッションおよび同一のトランザクションのＳＩＰメッセージは、同一の縮退呼制御装置に転送されることになる。
【００５９】
また、信号振分装置７０は、登録要求メッセージを転送する際に、当該登録要求メッセージに付加されている送信元ＭＡＣアドレスおよび送信先ＭＡＣアドレス（Ｅｔｈｅｒヘッダ部に含まれる）と、送信元ＩＰアドレスおよび送信先ＩＰアドレス（ＩＰヘッダに含まれる）に設定されているアドレス値を挿げ替える処理を行う。具体的に説明すると、登録要求メッセージに付加されている送信元ＭＡＣアドレス、送信先ＭＡＣアドレス、送信元ＩＰアドレス、送信先ＩＰアドレスには、それぞれ、登録要求メッセージを送信した端末のＭＡＣアドレス、信号振分装置のＭＡＣアドレス、登録要求メッセージを送信した端末のＩＰアドレス、縮退呼制御装置代表アドレスが設定されている。ここで、縮退呼制御装置代表アドレスとは、信号振分装置７０にあらかじめ設定された仮想のＩＰアドレスであり、登録要求メッセージを送信する際に指定する送信先として、端末１０1〜１０nが統一して認識しているＩＰアドレスである。そして、信号振分装置７０は、これらのアドレスを、それぞれ、信号振分装置のＭＡＣアドレス、振分処理で選択した縮退呼制御装置のＭＡＣアドレス、登録要求メッセージを送信した端末のＩＰアドレス、振分処理で選択した縮退呼制御装置のＩＰアドレスに挿げ替えた上で、選択した縮退呼制御装置に登録要求メッセージを転送する。
【００６０】
縮退呼制御装置２００1〜２００nは、端末１０1〜１０nから送信されるＳＩＰメッセージを受信し、通信事業者がそれぞれ保有するホームネットワークや他のネットワークとの接続やユーザ認証、セッション管理等を行う装置であり、それぞれ、Ｐ−ＣＳＣＦ２４０1〜２４０nと、Ｉ−ＣＳＣＦ１５０1〜１５０nと、Ｓ−ＣＳＣＦ１６０1〜１６０nとを有する。
【００６１】
Ｐ−ＣＳＣＦ２４０1〜２４０nは、端末１０1〜１０nから送信されるＳＩＰメッセージを受信し、信号振分装置７０または縮退呼制御装置１００1〜１００nに転送する処理部である。このＩ−ＣＳＣＦ５０は、現在位置を登録するためのＳＩＰメッセージ（以下、登録要求メッセージ）を端末１０1〜１０nから受信した場合は、当該登録要求メッセージを、同じ縮退呼制御装置にあるＩ−ＣＳＣＦ１５０1〜１５０nに転送する。例えは、縮退呼制御装置２００2のＰ−ＣＳＣＦ２４０2は、Ｉ−ＣＳＣＦ１５０2に登録要求メッセージを転送する。
【００６２】
このように、縮退呼制御装置２００1〜２００nに、それぞれ、さらにＰ−ＣＳＣＦ２４０1〜２４０nを縮退して備え、端末からＰ−ＣＳＣＦ２４０1〜２４０nに送信される信号を、信号振分装置７０を用いて複数の縮退呼制御装置２００1〜２００nに振り分けることによって、Ｐ−ＣＳＣＦの負荷分散を行うことができる。
【００６３】
次に、本実施例２に係る移動体通信ネットワークにおける端末登録手順について説明する。図４は、本実施例２に係る移動体通信ネットワークにおける端末登録手順を示すシーケンス図である。同図に示すように、ネットワークサービスの加入者によって、例えば端末１０1からＲＥＧＩＳＴＥＲ要求（端末登録要求）メッセージが送信されると、メッセージの送信先としてあらかじめ端末１０1に設定されている信号振分装置７０が、当該ＲＥＧＩＳＴＥＲ要求メッセージを受信する（ステップＳ２０１）。
【００６４】
信号振分装置７０は、受信したＲＥＧＩＳＴＥＲ要求メッセージに含まれるＣＡＬＬ−ＩＤの記憶と、当該ＲＥＧＩＳＴＥＲ要求メッセージに付加されているアドレス情報の挿げ替えを行うとともに、所定の方式（例えば、ラウンドロビン方式やセッション数監視方式等）で縮退呼制御装置を選択し、選択した縮退呼制御装置、例えば縮退呼制御装置２００2に当該ＲＥＧＩＳＴＥＲ要求メッセージを転送する（ステップＳ２０２）。
【００６５】
縮退呼制御装置２００2は、ＲＥＧＩＳＴＥＲ要求メッセージを受信すると、Ｐ−ＣＳＣＦ４０2が、同じ縮退呼制御装置２００2内のＩ−ＣＳＣＦ１５０2に当該ＲＥＧＩＳＴＥＲ要求メッセージを内部転送する（ステップＳ２０３）。
【００６６】
そして、Ｉ−ＣＳＣＦ１５０2が、ＨＳＳ３０から発加入者の加入者情報を取得する（ステップＳ２０４、Ｓ２０５）。ここで、当該発加入者の加入者情報に収容Ｓ−ＣＳＣＦ情報が含まれていなかった場合、Ｉ−ＣＳＣＦ１５０2は、同じ縮退呼制御装置１００2にあるＳ−ＣＳＣＦ１６０2に当該ＲＥＧＩＳＴＥＲ要求メッセージを内部転送する（ステップＳ２０６）。
【００６７】
Ｓ−ＣＳＣＦ１６０2は、発加入者の加入者情報に収容Ｓ−ＣＳＣＦ情報が含まれていなかった場合は、ＨＳＳ３０にある当該発加入者の加入者情報に、自身を示す情報（例えば、ＩＰアドレス等）を収容Ｓ−ＣＳＣＦ情報として仮登録する（ステップＳ２０７、Ｓ２０８）。ここで、Ｓ−ＣＳＣＦ１６０2は、Ｐ−ＣＳＣＦ２４０2を経由し、端末１０1に対して、ユーザ認証が必要であることを示すアクセス制限メッセージ（「４０１  Ｕｎａｕｔｈｏｒｉｚｅｄ」メッセージ）を応答する（ステップＳ２０９、Ｓ２１０）。
【００６８】
端末１０1は、アクセス制限メッセージを受信すると、ＲＥＧＩＳＴＥＲ要求メッセージを再送信して、再度、登録を試みる（ステップＳ２１１）。ここで再送信されたＲＥＧＩＳＴＥＲ要求メッセージは、初回の送信時と同様に、信号振分装置７０、縮退呼制御装置２００2のＰ−ＣＳＣＦ２４０2およびＩ−ＣＳＣＦ１５０2を経由して、Ｓ−ＣＳＣＦ１６０2に到達する（ステップＳ２１２、Ｓ２１３、Ｓ２１４）。
【００６９】
Ｓ−ＣＳＣＦ１６０2は、ＲＥＧＩＳＴＥＲ要求メッセージに基づいて発加入者のユーザ認証を行うとともに、ＨＳＳ３０にある当該発加入者の加入者情報に、自身が備えられている縮退呼制御装置を示す情報（例えば、ＩＰアドレス等）を収容Ｓ−ＣＳＣＦ情報として正式登録する（ステップＳ２１５、Ｓ２１６）。さらに、Ｓ−ＣＳＣＦ１６０2は、Ｐ−ＣＳＣＦ２４０2を経由し、端末１０1に対して、要求が成功したことを示す要求成功メッセージ（「２００  ＯＫ」メッセージ）を応答する（ステップＳ２１７、Ｓ２１８）。この時、Ｓ−ＣＳＣＦ１６０2は、自身が備えられている縮退呼制御装置のＩＰアドレスを当該要求成功メッセージに付与して送信する。例えば、Ｓ−ＣＳＣＦ１６０2は、自身が備えられている縮退呼制御装置のＩＰアドレス、要求成功メッセージのＳｅｒｖｉｃｅ−Ｒｏｕｔｅヘッダに設定して送信する（ステップＳ２１７）。
【００７０】
そして、要求成功メッセージを受信すると、端末１０1は、当該要求成功メッセージに付与されているＳ−ＣＳＣＦ１６０2のＩＰアドレスを用いて、通信相手の呼び出しを要求するためのＩＮＶＩＴＥ要求メッセージをＳ−ＣＳＣＦ１６０2に対して直接送信する（ステップＳ２１９）。そして、端末１０1は、以降、Ｓ−ＣＳＣＦ１６０2に対して行う要求については、Ｐ−ＣＳＣＦ４０2、信号振分装置７０および縮退呼制御装置１００2のＩ−ＣＳＣＦ１５０2を経由せずにＳ−ＣＳＣＦ１６０2に対して要求メッセージを直接送信する。
【００７１】
このように、端末１０1〜１０nから送信される信号を信号振分装置７０がＰ−ＣＳＣＦ２４０1〜２４０nに振り分け、Ｐ−ＣＳＣＦ２４０1〜２４０nが、当該信号を同じ縮退呼制御装置に備えられたＩ−ＣＳＣＦ１５０1〜１５０nに内部転送し、さらにＩ−ＣＳＣＦ１５０1〜１５０nが、当該信号をＳ−ＣＳＣＦ１６０1〜１６０nに内部転送することによって、Ｐ−ＣＳＣＦに集中する信号を分散して呼制御を行うことができる。
【００７２】
上述してきたように、本実施例２では、Ｐ−ＣＳＣＦ２４０1〜２４０nを一つの縮退呼制御装置内にさらに縮退して備えるとともに、Ｐ−ＣＳＣＦ２４０1〜２４０nが、信号振分装置７０によって振り分けられたメッセージを受信し、同じ呼制御装置内に備えられたＩ−ＣＳＣＦに転送し、Ｉ−ＣＳＣＦ１５０1〜１５０nが、転送されたメッセージを受信し、あらかじめ加入者毎に設定されている収容先のＳ−ＣＳＣＦに当該メッセージを転送することとしたので、端末１０1〜１０nから信号振分装置７０に直接送信されるメッセージを複数の縮退呼制御装置１００1〜１００nに備えられたＰ−ＣＳＣＦ２４０1〜２４０nに分散して処理することが可能となり、ネットワーク上に発生する信号集中箇所の負荷を分散することができる。
【００７３】
なお、本実施例１および２では、縮退呼制御装置について説明したが、縮退呼制御装置が有する構成をソフトウェアによって実現することで、同様の機能を有する縮退呼制御プログラムを得ることができる。そこで、この縮退呼制御プログラムを実行するコンピュータについて説明する。
【００７４】
図５は、本実施例１および２に係る縮退呼制御プログラムを実行するコンピュータの構成を示す機能ブロック図である。同図に示すように、このコンピュータ３００は、ＲＡＭ３１０と、ＣＰＵ３２０と、ＨＤＤ３３０と、ＬＡＮインタフェース３４０と、入出力インタフェース３５０と、ＤＶＤドライブ３６０とを有する。
【００７５】
ＲＡＭ３１０は、プログラムやプログラムの実行途中結果などを記憶するメモリであり、ＣＰＵ３２０は、ＲＡＭ３１０からプログラムを読み出して実行する中央処理装置である。
【００７６】
ＨＤＤ３３０は、プログラムやデータを格納するディスク装置であり、ＬＡＮインタフェース３４０は、コンピュータ３００をＬＡＮ経由で他のコンピュータに接続するためのインタフェースである。
【００７７】
入出力インタフェース３５０は、マウスやキーボードなどの入力装置および表示装置を接続するためのインタフェースであり、ＤＶＤドライブ３６０は、ＤＶＤの読み書きを行う装置である。
【００７８】
そして、このコンピュータ３００において実行される縮退呼制御プログラム３１１は、ＤＶＤに記憶され、ＤＶＤドライブ３６０によってＤＶＤから読み出されてコンピュータ３００にインストールされる。
【００７９】
あるいは、この縮退呼制御プログラム３１１は、ＬＡＮインタフェース３４０を介して接続された他のコンピュータシステムのデータベースなどに記憶され、これらのデータベースから読み出されてコンピュータ３００にインストールされる。
【００８０】
そして、インストールされた縮退呼制御プログラム３１１は、ＨＤＤ３３０に記憶され、ＲＡＭ３１０に読み出されてＣＰＵ３２０によって縮退呼制御プロセス３２１として実行される。
【００８１】
（付記１）移動体通信ネットワークにおいて端末から送信される制御信号に基づいて呼制御処理を行う呼制御装置であって、
前記制御信号を複数の呼制御装置のいずれかに振り分けて転送する信号振分装置から制御信号を受信し、あらかじめ加入者毎に設定されている収容先の呼制御装置に該制御信号を転送する収容先選択手段と、
前記収容先選択手段または他の呼制御装置に備えられた収容先選択手段によって転送された制御信号を受信し、該制御信号に基づいて端末のセッションを制御するセッション制御手段と、
を一つの装置内に縮退して備えたことを特徴とする呼制御装置。
【００８２】
（付記２）前記信号振分装置によって振り分けられた制御信号を受信し、同じ呼制御装置に備えられた収容先選択手段に該制御信号を転送する端末信号転送手段を一つの装置内にさらに縮退して備え、
前記収容先選択手段は、前記端末信号転送手段によって転送された制御信号を受信し、あらかじめ加入者毎に設定されている収容先の呼制御装置に該制御信号を転送することを特徴とする付記１に記載の呼制御装置。
【００８３】
（付記３）前記収容先選択手段は、前記端末から制御信号を送信した加入者に対して収容先の呼制御装置が設定されていない場合は、同じ呼制御装置に備えられたセッション制御手段に該信号を転送することを特徴とする付記１または２に記載の呼制御装置。
【００８４】
（付記４）前記セッション制御手段は、位置情報を登録するために前記端末から送信される登録要求信号に対して登録が成功したことを応答する際に、該端末が前記信号振分装置を介さずに直接アクセスすることを可能とするための装置アドレス情報を端末に送信することを特徴とする付記１、２または３に記載の呼制御装置。
【００８５】
（付記５）移動体通信ネットワークにおいて、端末から送信される制御信号に基づいて呼制御処理を行う呼制御サーバ装置による呼制御方法であって、
信号振分装置が、前記制御信号を複数の呼制御サーバ装置のいずれかに振り分けて転送する信号振分工程と、
前記呼制御サーバ装置が、前記信号振分工程によって転送された制御信号を受信し、あらかじめ加入者毎に設定されている収容先の呼制御サーバ装置に該制御信号を転送する収容先選択工程と、
前記呼制御サーバ装置が、前記収容先選択工程または他の呼制御サーバ装置による収容先選択工程によって転送された制御信号を受信し、該制御信号に基づいて端末のセッションを制御するセッション制御工程と、
を含んだことを特徴とする呼制御方法。
【００８６】
（付記６）前記信号振分工程によって転送された制御信号を受信し、同じ呼制御サーバ装置による収容先選択工程に該制御信号を転送する端末信号転送工程をさらに含み、
前記収容先選択工程は、前記端末信号転送工程によって転送された制御信号を受信し、あらかじめ加入者毎に設定されている収容先の呼制御サーバ装置に該制御信号を転送することを特徴とする付記５に記載の呼制御方法。
【００８７】
（付記７）前記収容先選択工程は、前記端末から制御信号を送信した加入者に対して収容先の呼制御サーバ装置が設定されていない場合は、同じ呼制御サーバ装置によるセッション制御工程に該信号を転送することを特徴とする付記５または６に記載の呼制御方法。
【００８８】
（付記８）移動体通信ネットワークにおいて、端末から送信される制御信号に基づいて呼制御処理を行う呼制御プログラムであって、
前記制御信号を複数のコンピュータのいずれかに振り分けて転送する信号振分装置から制御信号を受信し、記憶装置にあらかじめ加入者毎に記憶されている収容先コンピュータ情報に基づいて収容先となるコンピュータを選択し、該選択したコンピュータに信号を転送する収容先選択手順と、
前記収容先選択手順または他のコンピュータで実行された収容先選択手順によって転送された制御信号を受信し、該制御信号に基づいて端末のセッションを制御するセッション制御手順と、
を一つのコンピュータに実行させることを特徴とする呼制御プログラム。
【００８９】
（付記９）前記信号振分装置から制御信号を受信し、同じコンピュータで実行される収容先選択手順に該制御信号を転送する端末信号転送手順を一つのコンピュータにさらに実行させ、
前記収容先選択手順は、前記端末信号転送手順によって転送された制御信号を受信し、記憶装置にあらかじめ加入者毎に記憶されている収容先コンピュータ情報に基づいて収容先となるコンピュータを選択し、該選択したコンピュータに信号を転送することを特徴とする付記８に記載の呼制御プログラム。
【００９０】
（付記１０）前記収容先選択手順は、前記端末から制御信号を送信した加入者に対して収容先のコンピュータが設定されていない場合は、同じコンピュータで実行されるセッション制御手順に該信号を転送することを特徴とする付記８または９に記載の呼制御プログラム。
【産業上の利用可能性】
【００９１】
以上のように、本発明に係る呼制御装置および呼制御方法は、移動体通信ネットワークに有用であり、特に、ネットワークサービの加入者が多い移動体通信ネットワークに適している。
【図面の簡単な説明】
【００９２】
【図１】本実施例１に係る移動体通信ネットワークの構成を示すブロック図である。
【図２】本実施例１に係る移動体通信ネットワークにおける端末登録手順を示すシーケンス図である。
【図３】本実施例２に係る移動体通信ネットワークの構成を示すブロック図である。
【図４】本実施例２に係る移動体通信ネットワークにおける端末登録手順を示すシーケンス図である。
【図５】本実施例１および２に係る縮退呼制御プログラムを実行するコンピュータの構成を示す機能ブロック図である。
【図６】ＩＭＳで規定される移動体通信ネットワークの構成を示すブロック図である。
【符号の説明】
【００９３】
１０1〜１０n    端末
２０1〜２０n    アプリケーションサーバ
３０    ＨＳＳ
４０1〜４０n、２４０1〜２４０n    Ｐ−ＣＳＣＦ
５０、１５０1〜１５０n    Ｉ−ＣＳＣＦ
６０1〜６０n、１６０1〜１６０n    Ｓ−ＣＳＣＦ
７０    信号振分装置
１００1〜１００n、２００1〜２００n    縮退呼制御装置
３００    コンピュータ
３１０    ＲＡＭ
３１１    縮退呼制御プログラム
３２０    ＣＰＵ
３２１    縮退呼制御プロセス
３３０    ＨＤＤ
３４０    ＬＡＮインタフェース
３５０    入出力インタフェース
３６０    ＤＶＤドライブ
【図１】
0004648214.tif 000002
【図２】
0004648214.tif 000003
【図３】
0004648214.tif 000004
【図４】
0004648214.tif 000005
【図５】
0004648214.tif 000006
【図６】
0004648214.tif 000007